(57)【要約】【課題】番組データをダビングする際のユーザの操作負荷を低減する。【解決手段】ダビング対象の番組を特定するための第１の条件、第１の条件に該当する番組の内、ダビングを開始する時期を特定するための第２の条件、ダビング先の第２の補助記憶装置の記録容量を特定するための第３の条件、の登録を入力部を通じて受付けるダビング条件登録手段と、第２の条件に該当すると、第１の補助記憶装置に記録された第１の条件に該当する番組データから、第３の条件に応じたダビングデータを作成するダビングデータ作成手段と、作成された前記ダビングデータを前記第２の補助記憶装置にダビングするダビング手段と、を有する。【選択図】図３
2015211304.tif 000002
【特許請求の範囲】
【請求項１】
番組データを受信する受信部と、
受信した前記番組データを記録する第１の補助記憶装置と、
入力部と、
ダビング対象の番組を特定するための第１の条件、前記第１の条件に該当する番組の内、ダビングを開始する時期を特定するための第２の条件、ダビング先の第２の補助記憶装置の記録容量を特定するための第３の条件、の登録を前記入力部を通じて受付けるダビング条件登録手段と、
前記第２の条件に該当すると、前記第１の補助記憶装置に記録された前記第１の条件に該当する番組データから、前記第３の条件に応じた情報量のダビングデータを作成するダビングデータ作成手段と、
作成された前記ダビングデータを前記第２の補助記憶装置にダビングするダビング手段と、を有することを特徴とする録画装置。
【請求項２】
録画予約により設定された条件をもとに、前記条件に関連する一連の番組を録画する録画手段を有し、
前記ダビング条件登録手段は、前記録画手段により前記録画予約が行われる際に、前記録画予約により設定された条件をもとに前記第１の条件を登録する、ことを特徴とする請求項１に記載の録画装置。
【請求項３】
前記ダビングデータ作成手段は、前記第３の条件をもと特定された前記第２の補助記憶装置の記録容量と、前記第２の条件に該当した際に、前記第１の条件をもとに特定された番組の数と、をもとに、前記ダビングデータの情報量を算出する、ことを特徴とする請求項１または請求項２のいずれかに記載の録画装置。
【請求項４】
前記ダビングデータ作成手段は、前記第２の条件に該当すると、ダビングデータを作成するための登録を行い、前記登録後、前記録画装置の処理負荷が低い期間に、前記ダビングデータを作成する、ことを特徴とする請求項１から請求項３のいずれか一項に記載の録画装置。
【請求項５】
前記ダビング手段は、前記ダビングデータが作成された番組が複数ある場合、ユーザに通知し、ダビングを開始する番組の選択を受付ける、ことを特徴とする請求項１から請求項４のいずれか一項に記載の録画装置。
【請求項６】
前記ダビング手段は、前記第２の補助記憶装置と異なる第３の補助記憶装置がダビング先に設定されている場合、前記第３の補助記憶装置の記録容量に応じて、前記ダビングデータの情報量を再変換する、ことを特徴とする請求項１から請求項５のいずれか一項に記載の録画装置。
【発明の詳細な説明】
【技術分野】
【０００１】
本発明は、補助記憶装置に録画した番組を他の補助記憶装置にダビングする機能を備える録画装置に関する。
【背景技術】
【０００２】
磁気記憶型の補助記憶装置であるＨＤＤ（Hard Disc Drive）に番組データを録画する録画装置が知られている。特許文献１には、ＨＤＤに録画された番組データの容量を消去、圧縮等し、ＨＤＤの記録可能容量を増やす発明が開示されている（例えば、特許文献１参照）。
【０００３】
また、磁気記憶型や半導体記憶型等の複数の補助記憶装置を用いてデータを記録することができる録画装置が知られている。このような録画装置では、一方の補助記憶装置に記録されたデータを、他方の補助記憶装置にダビングすることができる。
【０００４】
番組データをダビングする場合、ダビング先の補助記憶装置の記録容量に応じてユーザは、番組データの情報量を再変換する必要がある。例えば、ダビング先の補助記憶装置を登録しておき、ダビング先とは別の補助記憶装置に番組データを録画する際に、ダビング先の補助記憶装置の記録可能容量に応じて番組データの情報量を変換（エンコード）する発明が開示されている（例えば、特許文献２参照。）。
【先行技術文献】
【特許文献】
【０００５】
【特許文献１】特開２００８−２１９５６７号公報
【特許文献２】特開２０１１−０８６３４０号公報
【発明の概要】
【発明が解決しようとする課題】
【０００６】
シリーズ番組等、複数の番組データを補助記憶装置にダビングする場合、ユーザは補助記憶装置の容量や、番組データの総情報量等を加味して、番組データを変換する情報量を決定する必要がある。しかし、このような処理は、ユーザに煩雑な操作を行わせる。
【０００７】
本発明は、上記課題にかんがみてなされたもので、番組データをダビングする際のユーザの操作負荷を低減することを目的とする。
【課題を解決するための手段】
【０００８】
・適用例１
上記課題を解決するために、本発明の一態様では、番組データを受信する受信部と、受信した前記番組データを記録する第１の補助記憶装置と、入力部と、ダビング対象の番組を特定するための第１の条件、前記第１の条件に該当する番組の内、ダビングを開始する時期を特定するための第２の条件、ダビング先の第２の補助記憶装置の記録容量を特定するための第３の条件、の登録を前記入力部を通じて受付けるダビング条件登録手段と、前記第２の条件に該当すると、前記第１の補助記憶装置に記録された前記第１の条件に該当する番組データから、前記第３の条件に応じたダビングデータを作成するダビングデータ作成手段と、作成された前記ダビングデータを前記第２の補助記憶装置にダビングするダビング手段と、を有する。
【０００９】
ここで、補助記憶装置とは、ＨＤＤ（Hard Disk Drive）等の磁気記憶型の装置、フラッシュメモリ等の半導体記憶型の装置、さらには、ＤＶＤ、ブルーレイディスク（登録商標）、ＣＤ等の光記憶型の装置を含む。
また、入力部は、周知のリモコン装置の操作を受付ける受信回路以外にも、ネットワークを通じて、端末からの情報を受付けるネットワークモジュール等の受信回路をも含む。
さらに、ダビングを開始する時期とは、日時や暦等の直接的な情報以外にも、番組の放送回数等を示す間接的な情報も含む。
【００１０】
上記のように構成された発明では、第２の条件に該当すると、録画装置は、第１の補助記憶装置に記録されている第１の条件に該当する番組データから、第３の条件に応じた情報量のダビングデータを作成する。そして、録画装置は、作成されたダビングデータを第２の補助記憶装置にダビングする。
そのため、ユーザが第１から第３の条件を予め登録しておくことで、録画装置は、登録された条件に応じたダビングデータを自動で作成することができる。そのため、ユーザは、番組データをダビングする際に生じる煩雑な操作を行う必要がなく、ユーザの操作負荷を軽減することができる。
【００１１】
・適用例２
本発明の一態様では、録画予約により設定された条件をもとに、前記条件に関連する一連の番組を録画する録画手段を有し、前記ダビング条件登録手段は、前記録画手段により前記録画予約が行われる際に、前記録画予約により設定された条件をもとに前記第１の条件を登録する。
ここで、『録画予約により設定された条件』とは、番組の名称を示す番組タイトルや、番組の出演者を示す情報等、番組を特定して録画予約を行うことが出来る情報を意味する。
上記のように構成された発明では、録画予約により設定された条件をもとに第１の条件を自動で設定するため、ユーザの操作負荷を軽減することができる。
【００１２】
・適用例３
本発明の一態様では、前記ダビングデータ作成手段は、前記第３の条件をもと特定された前記第２の補助記憶装置の記録容量と、前記第２の条件に該当した際に、前記第１の条件をもとに特定された番組の数と、をもとに、前記ダビングデータの情報量を算出する。
上記のように構成された発明では、各ダビングデータの情報量を均一に算出することができる。
【００１３】
・適用例４
本発明の一態様では、前記ダビングデータ作成手段は、前記第２の条件に該当すると、ダビングデータを作成するための登録を行い、前記登録後、前記録画装置の処理負荷が低い期間に、前記ダビングデータを作成する。
上記のように構成された発明では、録画装置の処理負荷が低い期間にダビングデータの作成を行うため、ユーザが録画装置使用する期間（処理負荷が高い期間）は、ハードウェアを占有せず、ユーザは安定的に録画装置を使用することができる。
【００１４】
・適用例５
本発明の一態様では、前記ダビング手段は、前記ダビングデータが作成された番組が複数ある場合、ユーザに通知し、ダビングを開始する番組の選択を受付ける。
上記のように構成された発明では、ダビング対象となる番組が複数存在する場合でも、ユーザが最も望む番組をダビングすることができる。
【００１５】
・適用例６
本発明の一態様では、前記ダビング手段は、前記第２の補助記憶装置と異なる第３の補助記憶装置がダビング先に設定されている場合、前記第３の補助記憶装置の記録容量に応じて、前記ダビングデータの情報量を再変換する。
上記のように構成された発明では、登録された補助記憶装置と異なる補助記憶装置がセットされた場合でも、セットされた補助記憶装置に応じた、ダビングデータを作成することができる。
【図面の簡単な説明】
【００１６】
【図１】録画装置１０の外観を示す外観図。
【図２】録画装置１０のハードウェア構成を示すブロック構成図。
【図３】録画装置１０の機能を示す機能ブロック図。
【図４】システムコントローラ３０が実行する登録処理を説明するフローチャート。
【図５】表示装置５０に表示される画面を示す図。
【図６】表示装置５０に表示される画面を示す図。
【図７】システムコントローラ３０により作成されるダビング条件設定テーブル３２１を示す図。
【図８】ダビングタイトルの作成処理を説明するフローチャート。
【図９】ダビングタイトルの作成処理を説明するフローチャート。
【図１０】表示部２１による通知を説明する図。
【図１１】登録処理により表示部２１に表示される登録画面１１０を示す図。
【図１２】ダビングタイトルの作成が登録された場合に行われる処理を示すフローチャート。
【図１３】ダビングタイトルが作成された場合に、システムコントローラ３０が実行する処理を説明するフローチャート。
【図１４】第３の実施形態における通知を説明するための図。
【図１５】ダビングデータ作成手段３３によって実行される処理を示すフローチャート。
【図１６】表示部２１に表示される通知画面を示す図。
【発明を実施するための形態】
【００１７】
以下、下記の順序に従って本発明の実施形態を説明する。
１．第１の実施形態：
（１）録画装置の構成
（２）ダビング方法
２．第２の実施形態：
３．第３の実施形態：
４．第４の実施形態：
５．第５の実施形態：
６．その他の実施形態：
【００１８】
１．第１の実施形態：
（１）録画装置の構成 
図１は、録画装置１０の外観を示す外観図である。
録画装置１０は、アンテナ（図１では図示しない）に接続されており、このアンテナが受信したテレビジョン放送から所望のＴＳパケットを抽出し番組を録画する。また、録画装置１０は、テレビジョン受像機等の表示装置５０と接続しており、録画された番組を表示装置５０に出力することができる。また、録画装置１０は、録画機能として、通常録画、おまかせ録画、ループ録画の各録画機能を備えている。
【００１９】
図２は、録画装置１０のハードウェア構成を示すブロック構成図である。
図２に示す録画装置１０は、チューナー部１１、エンコーダー１２、デコーダー１３、ビデオメモリ１４、ＡＶコンバーター１５、メモリコントローラ１６、ＨＤＤ１７、ディスクドライブ１８、システムコントローラ３０、ＧＵＩ合成部１９、バス２０、表示部２１、リモコン受信部（入力部）２２と、を有している。
【００２０】
チューナー部１１は、アンテナが受信したテレビジョン放送から所望のチャンネルに対応する番組のデータ（番組データ）を抽出する。また、図２ではチューナー部１１は、複数のチューナー＃１〜＃Ｎを備えている。ここで、チューナー＃１は、通常録画に用いられる。また、チューナー＃２〜チューナー＃Ｎはループ録画に用いられる。
なお、図２では、通常録画に用いられるチューナーを１つとして記載しているが、これに限定されず、複数のチューナーを用いるものであってもよい。また、チューナーは地上デジタル放送や、衛生放送（ＢＳ）、ケーブル放送（ＣＳ）のそれぞれの放送波から所定のチャンネルに対応する情報を抽出することができる。
【００２１】
チューナー部１１の出力側には、エンコーダー１２が接続されている。エンコーダー１２は、チューナー＃１〜＃Ｎから出力されるＴＳパケット化された番組データをＨＤＤ１７や、光ディスク６０のフォーマットに応じて変換する。この第１の実施形態では、エンコーダー１２は、番組データの情報量をＸＰ（高画質）、ＳＰ（標準）、ＬＰ（長時間）、ＥＰ（長時間）のいずれかにフォーマットする。番組データの情報量は、ＸＰ、ＳＰ、ＬＰ、ＥＰの順序で少なくなる。
また、エンコーダー１２は、入力された放送信号からＳＩ（Service Information）を分離する。このＳＩには、ＳＤＴ（Service Description Table）やＥＩＴ（Event Information Table）が含まれている。
【００２２】
メモリコントローラ１６は、バス２０を介してＨＤＤ１７やディスクドライブ１８に接続されており、エンコーダー１２がエンコードした番組データをＨＤＤ１７や光ディスク６０に録画する。また、録画された番組データを再生する場合、メモリコントローラ１６は、ＨＤＤ１７または光ディスク６０から対象とする番組データを読みだし、ビデオメモリ１４に出力する。
【００２３】
また、メモリコントローラ１６は、システムコントローラ３０から録画対象番組を特定する情報（番組名、放送開始時刻、番組長さ）の指定を受けると、ループ録画時における番組データの録画や、通常録画における番組データの録画を制御することができる。
【００２４】
ＨＤＤ１７には、番組データを録画するごとに、管理テーブルが作成される。この管理テーブルには、番組データのファイルに関連づけて、『番組タイトル』、『放送日時』、番組が放送されるチャンネルの『チャンネル番号』、『放送開始時刻』、『番組長さ』、番組の内容を示す『番組内容』等を含んでいる。以下では、これら情報を番組情報とも記載する。番組情報は、エンコーダー１２により分離されたＳＩをもとに取得される。この第１の実施形態では、ＨＤＤ１７が第１の補助記憶装置である。
【００２５】
ディスクドライブ１８は、光ディスク６０に対してデータ（番組データ）の書き込みや、データの読み出しを行う。読み出されたデータは、ビデオメモリ１４に出力される。この第１の実施形態では、光ディスク６０が第２の補助記憶装置である。
【００２６】
デコーダー１３は、ビデオメモリ１４に読み出された番組データをデコードする。デコードされた番組データは、記録先の補助記憶装置や、ＡＶコンバーター１５に出力される。
【００２７】
ＧＵＩ合成部１９は、表示装置５０に表示する登録画面等のユーザインタフェースの元となるデータを生成し、ビデオメモリ１４に展開する。
【００２８】
ＡＶコンバーター１５は、表示装置５０と有線または無線を通じて接続しており、ビデオメモリ１４に展開された番組データを表示装置５０に出力する。
【００２９】
システムコントローラ３０は、録画装置１０を構成するハードウェアの動作を統合的に制御する。システムコントローラ３０は、図示しない、ＣＰＵ、ＲＯＭ、ＲＡＭ、タイマー、割込みコントローラ、Ｉ／ＯＩＦを備えて構成され、ＲＯＭに記録されたプログラムをＲＡＭ上に展開して実行することで、各種の機能を実現することができる。また、システムコントローラ３０は、所定の文字列やアイコンを表示する表示部２１や、リモコン装置から送信されるコマンドを受信するリモコン受信部２２と、接続している。
【００３０】
図３は、録画装置１０の機能を示す機能ブロック図である。図３に示すシステムコントローラ３０は、録画手段３１、ダビング条件登録手段３２、ダビングデータ作成手段３３、ダビング手段３４と、を機能的に備える。
【００３１】
録画手段３１は、チューナー部１１が受信した番組データをＨＤＤ１７または光ディスク６０に録画する際の制御を行う。この第１の実施形態では、録画手段３１は、メモリコントローラ１６を制御することで常時録画、やループ録画を行う。
録画手段３１により制御されるループ録画では、チューナー＃２〜＃Ｎにより受信された番組データを、ＨＤＤ１７のループ録画用の記録領域（ループ記録領域とも記載する）にそれぞれ記録していく。ループ記録領域には、チャンネル毎に、記録先のセクタが割当てられている。例えば、メモリコントローラ１６は、チューナー＃Ｎが受信したあるチャンネルの番組データを、ループ記録領域の該当セクタの先頭アドレスから順に記録していく。そして、該当セクタの番組データの記録先が終端まで達すると、メモリコントローラ１６は、セクタの先頭に戻り、番組データを録画する。このとき、セクタの先頭に記録されている番組データは、消去される。そのため、ループ記録領域に記録される番組データデータは、永続的に記録されない。
【００３２】
ダビング条件登録手段３２は、ＨＤＤ１７に録画された番組をダビングするための条件（第１の条件、第２の条件、第３の条件）の登録を行う。この第１の実施形態では、ダビング条件登録手段３２は、表示装置５０に表示されたＧＵＩ画面において、ユーザがリモコン装置を操作して、第１〜第３の条件の登録を行う。
【００３３】
ここで、第１の条件は、ダビングの対象となる番組を特定するための情報であり、ＳＩから取得することができる『番組タイトル』、『出演者』、『番組ジャンル』等の情報である。
また、第２の条件は、番組のダビングを開始するための開始条件を示す情報である。例えば、シリーズ番組の最終話が録画された場合、ユーザによって設定された期日が経過した場合、等である。ここで、シリーズ番組とは、ある期間に連続で放送される番組を意味する。
そして、第３の条件は、ダビング先の補助記憶装置（第２の補助記憶装置）の記録可能容量を示す情報である。例えば、『４．７ＧＢ（ＤＶＤ１層）』、『９ＧＢ（ＤＶＤ２層）』、『２５ＧＢ（ＢＤ１層）』といった光ディスクの記録可能容量を直接的に示す情報のほか、『ＤＶＤ１層』、『ＤＶＤ２層』、『ＢＤ１層』、『ＢＤ２層』、『ＢＤ３層』といった光ディスクの種別からその記録可能容量を間接的に特定できる情報である。
【００３４】
ダビングデータ作成手段３３は、第１〜第３の条件をもとに、ダビングタイトル（ダビングデータ）を作成する。すなわち、ダビングデータ作成手段３３が実行する処理（以下、自動ダビング変換とも記載する）では、ユーザによって第１から第３の条件が登録されてから第２の条件となるまでに、ＨＤＤ１７に記録された番組データの内、第１の条件に該当する番組データがダビングの対象となる。例えば、第１の条件が番組タイトルを示す『ドラマＡ』であり、第２の条件が『最終回』であれば、『ドラマＡ』に該当する番組データの内、第１から第３の条件が登録された時点から番組の最終話までに録画された番組がダビングの対象となる。
また、ダビングデータ作成手段３３は、ダビングタイトルを作成するにあたり、ダビング条件登録手段３２により登録された第３の条件をもとに、ダビングタイトルの情報量を決定する。
【００３５】
ダビング手段３４は、ダビングデータ作成手段３３により作成されたダビングタイトルを光ディスク６０（第２の補助記憶装置）にダビングする。
【００３６】
（２）ダビング方法
録画装置１０により実行されるダビングタイトルの作成処理を説明する。まずは、ダビング条件登録手段３２により実行される第１〜第３の条件を登録する処理（登録処理）について説明する。
図４は、システムコントローラ３０が実行する登録処理を説明するフローチャートである。図４では、登録処理は、番組の録画予約の設定とともに行われる。以下では、ユーザが毎週、所定の時間に放送されるシリーズ番組である『ドラマＡ』を録画予約する場合を例に説明する。図５、図６は、表示装置５０に表示される画面を示す図である。
【００３７】
図４のステップＳ１では、システムコントローラ３０は、番組の録画予約を受付ける。図５（ａ）に示す録画予約画面１００では、ユーザによる入力により、番組タイトル『ドラマＡ』、放送時間、『毎週８：５０〜９：００』、チャンネル番号『３』の番組を毎日録画する録画予約の設定が入力されている。
【００３８】
ステップＳ２では、システムコントローラ３０は、ステップＳ１による入力において、シリーズ番組として録画予約を行う場合（ステップＳ２：ＹＥＳ）、ステップＳ３では、番組をシリーズ番組として録画予約する。図５（ｂ）では、録画予約画面１００には、ステップＳ１で入力した録画予約を、シリーズ番組の録画予約として適用する旨の表示が行われる。そのため、以後、録画装置１０は、ステップＳ１で登録した録画予約と、同じ放送時刻およびチャンネルで放送される番組を録画する。
【００３９】
ユーザが、自動ダビング変換を行う入力をした場合（ステップＳ４：ＹＥＳ）、システムコントローラ３０は、ステップＳ５に進む。例えば、録画予約画面１００において、ユーザが『自動ダビング変換』１０１のアイコンを選択すると、システムコントローラ３０は、登録処理を開始する。一方、シリーズ番組として録画しない場合（ステップＳ２：ＮＯ）または自動ダビング変換を登録しない場合（ステップＳ４：ＮＯ）、システムコントローラ３０は処理を終了する。
【００４０】
ステップＳ５では、システムコントローラ３０は、ＧＵＩ合成部１９を制御して、表示装置５０に登録処理を行うための登録画面１１０を表示させる。図６（ａ）に示す登録画面１１０には、第２の条件を入力するためのアイコン１１１と、第３の条件を入力するためのアイコン１１２が表示される。
【００４１】
ステップＳ６では、システムコントローラ３０は、第２の条件、第３の条件の入力を受付ける。図６（ａ）に示す登録画面１１０では、第２の条件として、『最終回』が入力され、第３の条件として『ＤＶＤ、１層（４．７ＧＢ）』が入力されている。なお、この第１の実施形態では、第２の条件と第３の条件とは、ユーザがアイコン１１１、１１２に予め登録されている条件の中から選択を行うことで入力が行われている。
【００４２】
ステップＳ７では、ユーザが自動ダビング変換の登録処理を確定する場合（ステップＳ７：ＹＥＳ）、システムコントローラ３０は、ステップＳ８に進む。ステップＳ８では、システムコントローラ３０は、自動ダビング変換の登録処理のための第１〜第３の条件の登録を行う。この第１の実施形態では、録画予約で設定された番組タイトル『ドラマＡ』を第１の条件として登録している。そして、図６（ｂ）に示すように、システムコントローラ３０は、自動ダビング変換の登録が完了したことを通知する登録完了画面１２０を表示する。
【００４３】
図７は、システムコントローラ３０により作成されるダビング条件設定テーブル３２１を示す。図７に示すダビング条件設定テーブル３２１には、自動ダビング変換の登録処理が行われた番組タイトル毎（第１の条件）に、第２の条件と、第３の条件とが関連づけて記録されている。図７に示すダビング条件設定テーブル３２１には、第１の条件をステップＳ１において録画予約を行った番組の番組タイトルである『ドラマＡ』、第２の条件として番組の『最終回』、第３の条件を『ＤＶＤ、１層（４．７ＧＢ）』が、記録されている。
【００４４】
次に、ダビングデータ作成手段３３によって実行されるダビングタイトルの作成処理について説明する。図８、図９は、ダビングタイトルの作成処理を説明するフローチャートである。
【００４５】
録画予約された番組の放送開始時刻になると、図８のステップＳ１１では、システムコントローラ３０は、番組をＨＤＤ１７に録画する。この第１の実施形態では、システムコントローラ３０は、メモリコントローラ１６に、番組を録画するＨＤＤ１７の領域（セクタ）、『放送開始時刻』、『番組長さ』を指定する。そして、メモリコントローラ１６は、エンコーダー１２によりエンコードされた録画データを、システムコントローラ３０に指定されたループ記録領域のセクタから順に録画していく。
【００４６】
ステップＳ１２では、システムコントローラ３０は、録画した番組の番組情報がダビング条件設定テーブル３２１に記録された第１の条件（この第１の実施形態では、番組タイトル）と一致すると（ステップＳ１２：ＹＥＳ）、ステップＳ１３に進む。一方、録画した番組の番組情報がダビング条件設定テーブル３２１に記録された第１の条件（番組タイトル）と一致しなければ（ステップＳ１２：ＮＯ）、処理を終了する。
【００４７】
ステップＳ１３では、システムコントローラ３０は、第２の条件に該当していれば、ステップＳ１４に進む。例えば、第２の条件を番組の『最終回』としている場合、システムコントローラ３０は、ＥＩＴに含まれる『最終回』の文字列の検索をもとに判断する。
一方、第２の条件に該当しなければ、システムコントローラ３０は、処理を終了する。
【００４８】
ステップＳ１４では、システムコントローラ３０は、ダビングタイトルの作成を登録する。この第１の実施形態では、ダビングタイトルはすぐには作成されず、システムコントローラ３０は、録画装置１０の処理負荷が少ない時間帯を待ってダビングタイトルを作成する。録画装置１０の処理負荷が少ない時間帯とは、例えば、録画装置１０が録画を行っていない時間帯や、深夜や、早朝など、ユーザが録画装置１０を使用しない時間帯である。
【００４９】
図９は、図８において、ダビングタイトルの作成が登録された場合に行われる処理を示す。図９に示す処理は、ダビングを開始する時刻に達した場合にシステムコントローラ３０が実行する処理である。ダビングを開始する時刻は、システムコントローラ３０に予め登録された処理である。
【００５０】
ダビングタイトルの作成が登録されている場合（ステップＳ２１：ＹＥＳ）、システムコントローラ３０は、ステップＳ２２に進む。一方、ダビングタイトルの作成が登録されていなければ（ステップＳ２１：ＮＯ）、システムコントローラ３０は処理を終了する。
【００５１】
ステップＳ２２では、システムコントローラ３０は、ＨＤＤ２０に録画された番組データのうち、第１の条件に該当する録画番組の数ＲＮを取得する。例えば、システムコントローラ３０は、ＨＤＤ２０に記録された管理テーブルをもとに、第１の条件（番組タイトル）が一致する番組の数を録画番組の数とする。
【００５２】
ステップＳ２３では、システムコントローラ３０は、ステップＳ２２で取得した録画番組の数ＲＮと、ダビング条件設定テーブル３２１に記録された第３の条件（この第１の実施形態では光ディスク６０の記録容量ＳＣ）とをもとに、ダビングタイトルの情報量を算出する。例えば、システムコントローラ３０は、下記（式１）にもとづいて、ダビングデータの画質を決定するための情報量Ｉｍｑを算出する。
Ｉｍｑ＝ＳＣ÷ＲＮ    …（式１）
【００５３】
ステップＳ２４では、システムコントローラ３０は、デコーダー１３にＨＤＤ１７に記録された番組データをデコードさせる。デコードされた番組データはビデオメモリ１４に記録される。
【００５４】
ステップＳ２５では、システムコントローラ３０は、ステップＳ２２で算出されたダビングデータの情報量Ｉｍｑをもとに、ダビングタイトルを作成する。この第１の実施形態では、システムコントローラ３０は、情報量Ｉｍｑをもとに、画質（ＸＰ、ＳＰ、ＬＰ、ＥＰ）を決定し、決定した画質をもとに、エンコーダー１２にエンコードを開始させる。そのため、ステップＳ２４により算出された情報量Ｉｍｑに対応する画質の番組データがビデオメモリ１４に記録される。
また、システムコントローラ３０は、エンコードされた番組データを、ＨＤＤ１７のダビングデータを記録する領域に記録させる。
【００５５】
第１の条件に該当する全ての番組データにおいて、エンコード処理がされていなければ（ステップＳ２６：ＮＯ）、システムコントローラ３０は、ステップＳ２４に戻り、処理を繰返す。一方、第１の条件に該当する全ての番組データにおいて、エンコード処理がされた場合（ステップＳ２６：ＹＥＳ）、システムコントローラ３０は、ステップＳ２７に進む。
【００５６】
ステップＳ２７では、システムコントローラ（通知手段）３０は、ダビングタイトルの作成が完了したことを表示部２１を通じて通知する。図１０は、表示部２１による通知を説明する図である。図１０では、ダビングタイトルの作成が完了したことをユーザに通知する『ダビングの準備ができました』の文字列が表示されている。そのため、ユーザは表示部２１に表示された文字列を確認することで、ダビングの準備（ダビングタイトルの作成）が完了したことを判断することができる。
【００５７】
ユーザがリモコン装置を操作して、ダビングを開始する選択をして通知画面２００を消去すると（ステップＳ２８：ＹＥＳ）、ステップＳ２９では、システムコントローラ３０（ダビング手段３４）は、ダビングタイトルを光ディスク６０へダビングする。すなわち、ＨＤＤ１７に記録されたダビングタイトルが、ディスクドライブ１８に転送され、ダビングが行われる。
【００５８】
以上説明したようにこの第１の実施形態では、ユーザが第１から第３の条件を予め登録しておくことで、録画装置１０は、登録された条件に応じたダビングデータを自動で作成する。そのため、ユーザは、番組データをダビングする際に生じる煩雑な操作を行う必要がなく、ユーザの操作負荷を軽減することができる。
【００５９】
また、録画予約により設定された条件をもとに第１の条件を自動で設定することで、ユーザの操作負荷を軽減することができる。
そして、第３の条件をもと設定された光ディスク６０の記録容量と、第２の条件に該当した際に、第１の条件をもとに特定された番組の数とをもとに、ダビングデータの情報量を算出することで、各ダビングデータの情報量を均一に算出することができる。特に、複数の番組データが関連するシリーズ番組をダビングする場合でも、各ダビングデータの画質を均一にすることができる。
さらに、第２の条件に該当すると、ダビングデータを作成するための登録を行い、登録後、録画装置１０の処理負荷が低い期間に、ダビングデータを作成することで、ユーザが録画装置１０を使用する期間（処理負荷が高い期間）は、ハードウェアを占有せず、ユーザは安定的に録画装置を使用することができる。
【００６０】
２．第２の実施形態：
自動ダビング変換を行うための第３の条件として、ダビング先に複数の光ディスク（第２の補助記憶装置）を設定するものであってもよい。
【００６１】
図１１は、第２の実施形態において、登録処理により表示部２１に表示される登録画面１１０を示す図。図１１（ａ）に示す登録画面１１０では、光ディスクの種別を入力するアイコンには『ＤＶＤ  １層（４．７ＧＢ）』が入力され、光ディスクの枚数を入力するアイコン１１３には、『２枚』が入力されている。そのため、ユーザがこの条件で登録処理を行なうと（図１１（ｂ））、システムコントローラ３０は、ダビング条件設定テーブル３２１を作成する。
【００６２】
図１２は、第２の実施形態において、ダビングタイトルの作成が登録された場合に行われる処理を示す。ダビングタイトルの作成が登録されている場合（ステップＳ１２１：ＹＥＳ）、システムコントローラ３０は、ステップＳ１２２に進む。一方、ダビングタイトルの作成が登録されていなければ（ステップＳ１２１：ＮＯ）、システムコントローラ３０は処理を終了する。なお、ダビングタイトルの作成の登録は、第１の実施形態と同様、図８で示した処理により登録される。
【００６３】
ステップＳ１２２では、システムコントローラ３０は、ＨＤＤ２０に録画された番組データのうち、第１の条件に該当する録画番組の数ＲＮを取得する。例えば、システムコントローラ３０は、ＨＤＤ２０に記録された管理テーブルをもとに、第１の条件（番組タイトル）が一致する番組の数を録画番組の数とする。
【００６４】
ステップＳ１２３では、システムコントローラ３０は、ステップＳ１２２で取得された録画番組の数ＲＮと、登録画面１１０に記録されたダビング先の光ディスクの数ＣＮをもとに、各コンテンツにダビングする録画番組の数ＲＮ２を設定する。この第２の実施形態では、システムコントローラ３０は、下記（式２）をもとに、光ディスクにダビングする録画番組の数ＲＮ２を設定する。なお、ＣＮは、登録画面１１０を用いて入力された第３の条件（この第２の実施形態では、『２枚』）をもとに設定された補助記憶装置の枚数を示す。
ＲＮ２＝ＲＮ÷ＣＮ    …（式２）
【００６５】
ステップＳ１２４では、システムコントローラ３０は、各コンテンツにダビングする録画番組の数ＲＮ２と、ダビング条件設定テーブル３２１に記録された補助記憶装置の記録容量ＳＣとをもとに、ダビングタイトルを作成するための情報量Ｉｍｑを算出する。例えば、システムコントローラ３０は、下記（式３）にもとづいて、ダビングデータの情報量Ｉｍｑを算出する。ここで、補助記憶装置の記録容量ＳＣは、登録画面１１０を用いて入力された第３の条件（この第２の実施形態では、『ＤＶＤ  １層（４．７ＧＢ）』）を意味する。
Ｉｍｑ＝ＳＣ÷ＲＮ２    …（式３）
【００６６】
ステップＳ１２５では、システムコントローラ３０は、デコーダー１３にＨＤＤ１７に記録された番組データをデコードさせる。デコードされた番組データはビデオメモリ１４に記録に保持される。
【００６７】
ステップＳ１２６では、システムコントローラ３０は、ステップＳ１２４で算出されたダビングデータの情報量Ｉｍｑをもとに、ダビングタイトルを作成する。そのため、ステップＳ１２４により算出されたダビングデータの情報量Ｉｍｑに対応する画質の番組データがビデオメモリ１４に記録される。そして、エンコードされた番組データは、ＨＤＤ１７のダビングデータを記録する領域に記録される。
【００６８】
第１の条件に該当する全ての番組データにおいて、エンコード処理がされていなければ（ステップＳ１２７：ＮＯ）、システムコントローラ３０は、ステップＳ１２５に戻り、処理を繰返す。
一方、第１の条件に該当する全ての番組データにおいて、エンコード処理がされた場合（ステップＳ１２７：ＹＥＳ）、システムコントローラ３０は、ステップＳ１２８に進む。
【００６９】
ステップＳ１２８では、システムコントローラ３０は、ダビングタイトルの作成が完了したことを表示部２１を通じて通知する。ユーザがリモコン装置を操作してダビングを開始する選択をして通知画面２００を消去すると（ステップＳ１２９：ＹＥＳ）、ステップＳ１３０では、システムコントローラ３０は、ダビングタイトルの光ディスク６０へのダビングを開始する。すなわち、ＨＤＤ１７に記録されたダビングタイトルが、ディスクドライブ１８に転送され、ダビングが行われる。
【００７０】
以上説明したようにこの第２の実施形態では、第１の実施形態で奏する効果に加えて以下の効果を奏する。すなわち、ダビング先の光ディスクを複数設定した場合でも、ダビングデータの情報量を均一にすることができる。
【００７１】
３．第３の実施形態：
ダビングの準備が完了した場合に、ダビングを行うタイトルをユーザが選択できるようにするものであってもよい。
【００７２】
図１３は、ダビングタイトルが作成された場合に、システムコントローラ３０が実行する処理を説明するフローチャートである。例えば、図１３に示す処理は、図９のステップ１２９において実行される処理である。
【００７３】
ステップＳ２０１では、システムコントローラ３０は、表示装置５０に通知画面２００を表示させる。図１４は、第３の実施形態における通知を説明するための図である。図１３（ａ）は、表示装置５０に表示される通知画面を示す図である。図１４（ａ）に示す通知画面２００では、ダビングタイトルが作成された『ドラマＡ』『ドラマＢ』『ドラマＣ』が表示される。
【００７４】
ユーザがリモコン装置を操作して通知画面２００に表示された録画番組を選択するための入力を行うと（ステップＳ２０２）、ステップＳ２０３では、システムコントローラ３０は、ダビングの際の各種設定を調整できる詳細登録画面２１０を表示する。この詳細登録画面２１０には、ユーザが選択した録画番組を構成する全てのダビングタイトルを表示する。
【００７５】
図１４（ｂ）は、ステップＳ２０３において表示される詳細登録画面２１０を示す図である。図１４（ｂ）に示す詳細登録画面２１０は、一例として、『ドラマＡ』がユーザにより選択された場合に、表示装置５０に表示されるものを示す。
詳細登録画面２１０には、『ドラマＡ』のサムネイル画像２１１と、『ドラマＡ』として自動ダビング変換により画質が変換されたダビングタイトル（♯１〜♯３０）を表示することができる。なお、図１４（ｂ）では、ダビングタイトルの内♯１〜♯７のみ（２１２）を表示するが、スライドバー２１３を操作することで画質が変換された全てのダビングタイトルを表示させることができる。
また、図１４（ｂ）の図中右端には、ダビングを行う際の調整項目として『番組を追加』、『リストから削除』、『全削除』、『ダビング順序変更』、『フォルダ設定』の各項目２１６が表示されている。ユーザが各項目のアイコン２１６を操作することで、画質が変換されたダビングタイトルの削除、一度、削除したものの追加、ダビング順序の並び換え、を調整することができる。
【００７６】
ユーザが図１４（ｂ）に示す詳細登録画面２１０において、『決定』のアイコン２１４を選択すると（ステップＳ２０４：ＹＥＳ）、システムコントローラ３０は、ステップＳ２０５に進む。
一方、ユーザが図１３（ｂ）に示す移行画面２１０において、『キャンセル』のアイコン２１５を選択すると（ステップＳ２０４：ＮＯ）、システムコントローラ３０は、ステップＳ２０１に戻る。すなわち、ユーザは、通知画面２００において他の録画番組を選択することが可能となる。
【００７７】
ステップＳ２０５では、システムコントローラ３０は、詳細登録画面２１０で調整された項目に従って、ダビングタイトルを光ディスク６０にダビングする。無論、図１４（ｂ）において、ダビングタイトルの削除等が行われている場合、削除されたダビングタイトルはダビングされない。
【００７８】
以上説明したように、この第３の実施形態では、第１の実施形態で奏する効果に加えて以下の効果を奏する。すなわち、ダビングを行う番組が複数ある場合に、ユーザがダビングを行う番組を選択することができる。その結果、ユーザが最も望む番組をダビングすることができる。
【００７９】
４．第４の実施形態：
ダビング実行時に、自動ダビング変換登録で指定されている補助記憶装置（第２の補助記憶装置）と異なる補助記憶装置（第３の補助記憶装置）が録画装置１０にセットされている場合に、セットされている補助記憶装置の記憶可能容量に応じて、番組データを再度、エンコードしてもよい。
【００８０】
図１５は、第４の実施形態において、ダビングデータ作成手段３３によって実行される処理を示すフローチャートである。図１５は、ダビングを開始する時刻に達した場合にシステムコントローラ３０が実行する処理である。
【００８１】
ダビングタイトルの作成が登録されている場合（ステップＳ２２１：ＹＥＳ）、システムコントローラ３０は、ステップＳ２２２に進む。一方、ダビングタイトルの作成が登録されていなければ（ステップＳ２２１：ＮＯ）、システムコントローラ３０は処理を終了する。
【００８２】
ステップＳ２２２では、システムコントローラ３０は、ＨＤＤ２０に録画された番組データのうち、第１の条件に該当する録画番組の数ＲＮを取得する。
【００８３】
ステップＳ２２３では、システムコントローラ３０は、ダビング条件設定テーブル３２１に登録された光ディスクがセットされていない場合（ステップＳ２２３：ＮＯ）、ステップＳ２２５に進む。光ディスクがダビング条件設定テーブル３２１に登録されたものであるか否かの判断は、例えば、ディスクドライブ１８が光ディスクに記録された情報を読み込むことで行う。
【００８４】
ステップＳ２２５では、システムコントローラ３０は、登録された光ディスクがセットされていないことを通知する。図１６は、表示部２１に表示される通知画面を示す図である。図１６では、番組データをダビングするために事前に登録した光ディスクがセットされていないことを通知する文字列が表示される。
【００８５】
ユーザがセットされている光ディスクを使用する旨の入力を行った場合（ステップＳ２２６：ＹＥＳ）、ステップＳ２２７では、システムコントローラ３０は、セットされた光ディスクの録画可能容量ＳＣ＃と、ステップＳ２２２で取得された番組データの数ＲＮとをもとにダビングデータの情報量Ｉｍｑを設定する。例えば、この第４の実施形態では、下記（式４）をもとに、ダビングデータの情報量Ｉｍｑを算出する。
Ｉｍｑ＝ＳＣ＃÷ＲＮ    …（式４）
【００８６】
一方、登録された光ディスクがセットされている場合（ステップＳ２２３：ＹＥＳ）またはユーザが現在セットされている光ディスクを、登録された光ディスクに変更した場合（ステップＳ２２６：ＮＯ）、ステップＳ２２４では、システムコントローラ３０は、ステップＳ２２で取得した録画番組の数ＲＮと、ダビング条件設定テーブル３２１に記録された光ディスクの記録容量ＳＣとをもとに、ダビングデータの画質を算出する。例えば、システムコントローラ３０は、上記（式１）にもとづいて、ダビングデータの情報量Ｉｍｑを算出する。
【００８７】
ステップＳ２２８では、システムコントローラ３０は、デコーダー１３にＨＤＤ１７に記録された番組データをデコードさせる。デコードされた番組データはビデオメモリ１４に記録に保持される。
ステップＳ２２９では、システムコントローラ３０は、ステップＳ２２４またはステップＳ２２７で算出されたダビングデータの情報量Ｉｍｑをもとに、ダビングタイトルを作成する。そのため、ステップＳ２２４またはステップＳ２２７により算出されたダビングデータの情報量Ｉｍｑに対応する画質のダビングタイトルが作成され、ＨＤＤ１７のダビングデータを記録する領域に記録される。
【００８８】
第１の条件に該当する全ての番組データにおいて、ダビングタイトルが作成されていなければ（ステップＳ２３０：ＮＯ）、システムコントローラ３０は、ステップＳ２２８に戻り、ダビングタイトルの作成処理を繰返す。
一方、第１の条件に該当する全ての番組データにおいて、ダビングタイトルが作成された場合（ステップＳ２３０：ＹＥＳ）、システムコントローラ３０は、ステップＳ２３１に進む。
【００８９】
ステップＳ２３１では、システムコントローラ３０は、ダビングタイトルの作成が完了したことを通知する通知画面２００を表示部２１に表示させる。
【００９０】
ユーザがリモコン装置を操作して通知画面２００において、ダビングを開始する選択を入力して通知画面２００を消去すると（ステップＳ２３２：ＹＥＳ）、ステップＳ２３３では、システムコントローラ３０は、光ディスク６０へのダビングを開始する。すなわち、ＨＤＤ１７に記録されたダビングタイトルが、ディスクドライブ１８に転送され、ダビングが行われる。
【００９１】
以上説明したようにこの第４の実施形態では、第１の実施形態で奏する効果に加えて以下の効果を奏する。すなわち、ダビングを行うために登録されている光ディスク（補助記憶装置）が録画装置にセットされていない場合でも、セットされている光ディスク（補助記憶装置）に応じてダビングデータの画質を設定することができる。
【００９２】
５．第５の実施形態：
第１の条件として、番組タイトルを用いたことは一例に過ぎない。これ以外にも、番組の出演者等の情報を検索し、検索された番組を録画予約する録画方法（おまかせ録画）を行う場合に、検索条件として使用した『出演者』、『番組ジャンル』、『放送時間』を第１の条件とするものであってもよい。
上記構成とすることで、検索条件をもとに録画予約を設定する場合でも、本発明を適用することができる。
【００９３】
６．その他の実施形態：
録画装置１０がスマートフォン等の端末と通信部を通じて通信を行うことができる場合に、スマートフォンを操作することで、第１の条件、第２の条件、第３の条件を録画装置１０に登録するものであってもよい。
【００９４】
第１の条件を登録するために録画予約を用いたことは一例に過ぎない。これ以外にも、ユーザが第１の条件となる情報（『番組タイトル』、『出演者』、『番組ジャンル』）を録画装置１０に直接入力するものであってもよい。
また、第２の条件として番組の最終回をもとに説明を行ったことは一例に過ぎない。これ以外にも、第２の情報として、ユーザが設定した日時や暦等の日付を特定するための直接的な情報であってもよい。
【００９５】
受信部としてテレビジョン放送の番組を受信するチューナー部を用いたことは一例に過ぎない。例えば、受信部は、インターネットと通じてサービスを受信するネットワークカード等の受信回路であってもよい。
【００９６】
なお、この明細書では、各用語を以下の意味で用いる。
番組データとは、テレビジョン放送により提供される個々のサービスを構成するデータを意味する。
ダビングとは、一方の補助記憶装置に記録されたデータを他の補助記憶装置にコピーすることを意味する。
記録容量とは、補助記憶装置に貯えうる情報の量を意味する。
【００９７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００９８】
１０…録画装置、１１…チューナー部、１２…エンコーダー、１３…デコーダー、１４…ビデオメモリ、１５…ＡＶコンバーター、１６…メモリコントローラ、１８…ディスクドライブ、１９…ＧＵＩ合成部、２０…バス、２１…表示部、２２…リモコン受信部、３０…システムコントローラ、３１…録画手段、３２…ダビング条件登録手段、３３…ダビングデータ作成手段、３４…ダビング手段、５０…表示装置、６０…光ディスク、１００…録画予約画面、１１０…登録画面、１２０…登録完了画面、３２１…ダビング条件設定テーブル
【図１】
2015211304.tif 000003
【図２】
2015211304.tif 000004
【図３】
2015211304.tif 000005
【図４】
2015211304.tif 000006
【図５】
2015211304.tif 000007
【図６】
2015211304.tif 000008
【図７】
2015211304.tif 000009
【図８】
2015211304.tif 000010
【図９】
2015211304.tif 000011
【図１０】
2015211304.tif 000012
【図１１】
2015211304.tif 000013
【図１２】
2015211304.tif 000014
【図１３】
2015211304.tif 000015
【図１４】
2015211304.tif 000016
【図１５】
2015211304.tif 000017
【図１６】
2015211304.tif 000018